(57)【要約】【課題】  本発明の目的は、低毒性で環境に悪影響を与えず、防錆効果の高い消火液を提供しようとする。【課題を解決するための手段】飽和脂肪酸およびその塩、不飽和脂肪酸およびその塩、飽和ジカルボン酸およびその塩、トリカルボン酸およびその塩、トリルトリアゾールまたはベンゾトリアゾール、を含む水溶液であることを特徴とする消火液であり、さらに水酸化物を含む消火液である。また、飽和脂肪酸およびその塩１重量％〜３０重量％、不飽和脂肪酸およびその塩０．５重量％〜１０重量％、飽和ジカルボン酸およびその塩０．０５重量％〜５重量％、トリカルボン酸およびその塩０．５重量％〜１０重量％、トリルトリアゾールまたはベンゾトリアゾール０．０５重量％〜２重量％、を含む水溶液であることを特徴とする消火液である。【選択図】  なし【特許請求の範囲】
【請求項１】
飽和脂肪酸およびその塩、不飽和脂肪酸およびその塩、飽和ジカルボン酸およびその塩、トリカルボン酸およびその塩、トリルトリアゾールまたはベンゾトリアゾール、を含む水溶液であることを特徴とする消火液。
【請求項２】
さらに水酸化物を含むことを特徴とする請求項１に記載の消火液。
【請求項３】
飽和脂肪酸およびその塩１重量％〜３０重量％、不飽和脂肪酸およびその塩０．５重量％〜１０重量％、飽和ジカルボン酸およびその塩０．０５重量％〜５重量％、トリカルボン酸およびその塩０．５重量％〜１０重量％、トリルトリアゾールまたはベンゾトリアゾール０．０５重量％〜２重量％、を含む水溶液であることを特徴とする請求項１に記載の消火液。
【請求項４】
前記飽和脂肪酸が、カプリル酸、カプロン酸、デカン酸、ドデカン酸、ラウリン酸、ミリスチン酸、パルミチン酸、およびステアリン酸からなる群より選択される少なくとも１つであることを特徴とする請求項１から３までのいずれかに記載の消火液。
【請求項５】
前記不飽和脂肪酸が、オレイン酸、バクセン酸、リノール酸、リノレイン酸、アラキドン酸からなる群から選択される少なくとも１つであることを特徴とする請求項１から４までのいずれかに記載の消火液。
【請求項６】
前記飽和ジカルボン酸がドデカン二酸、セバチン酸、セバシン酸からなる群より選択される少なくとも１つであるであることを特徴とする請求項１から５までのいずれかに記載の消火液。
【請求項７】
前記トリカルボン酸がクエン酸であることを特徴とする請求項１から６までのいずれかに記載の消火液。
【請求項８】
前記脂肪酸の塩が脂肪酸のカリウム塩を含むことを特徴とする請求項１から７までのいずれかに記載の消火液。
【発明の詳細な説明】
【技術分野】
【０００１】
本発明は、消火液に関し、より詳しくは水溶性の消火液に関する。
【背景技術】
【０００２】
一般的には消火液は、炭酸カリウムの濃厚水溶液を主成分とするものが用いられている（例えば、特許文献１参照）が、これは強いアルカリ性を示すので、金属容器中で長期間保存す場合、容器の腐食の点で好ましくない。また、この消火液が人体や被服に付着すると、皮膚や被服を損傷し、特に消火作業中に目に入った場合には、速やかに洗眼が必要になるなど、取り扱いが難しかった。
【先行技術文献】
【特許文献】
【０００３】
[特許文献１]  特開平９−２５３２３１号公報
【発明の概要】
【発明が解決しようとする課題】
【０００４】
本発明の目的は、低毒性で環境に悪影響を与えず、防錆効果の高い消火液を提供することにある。
【課題を解決するための手段】
【０００５】
本発明の消火液は、飽和脂肪酸およびその塩、不飽和脂肪酸およびその塩、飽和ジカルボン酸およびその塩、トリカルボン酸およびその塩、トリルトリアゾールまたはベンゾトリアゾール、を含む水溶液である。
【０００６】
本発明の消火液は、さらに水酸化物を含む場合がある。
【０００７】
本発明の消火液は、飽和脂肪酸およびその塩１重量％〜３０重量％、不飽和脂肪酸およびその塩０．５重量％〜１０重量％、飽和ジカルボン酸およびその塩０．０５重量％〜５重量％、トリカルボン酸およびその塩０．５重量％〜１０重量％、トリルトリアゾールまたはベンゾトリアゾール０．０５重量％〜２重量％、を含む水溶液であり得る。
【０００８】
上記飽和脂肪酸は、カプリル酸、カプロン酸、デカン酸、ドデカン酸、ラウリン酸、ミリスチン酸、パルミチン酸、およびステアリン酸からなる群より選択される少なくとも１つであり得る。
上記不飽和脂肪酸は、オレイン酸、バクセン酸、リノール酸、リノレイン酸、アラキドン酸からなる群から選択される少なくとも１つであり得る。
【０００９】
上記飽和ジカルボン酸は、ドデカン二酸、セバチン酸、セバシン酸からなる群から選択される少なくとも１つであり得る。
【００１０】
上記水酸化物は、水酸化カリウムであり得る。また、水酸化物の濃度は、０．１重量％〜５重量％であり得る。
【００１１】
上記脂肪酸の塩は、脂肪酸のカリウム塩を含み得る。
【発明の効果】
【００１２】
本発明によると、低毒性で環境に悪影響を与えない消火液が提供される。また、本発明によると、防錆効果の高い組成物として調製された消火液が提供される。
【発明を実施するための形態】
【００１３】
本発明の飽和脂肪酸およびその塩、不飽和脂肪酸およびその塩、飽和ジカルボン酸およびその塩、トリカルボン酸およびその塩、トリルトリアゾールまたはベンゾトリアゾール、を含む水溶液は、通常の蒸留水、脱イオン水、水道水等に、少なくとも、飽和脂肪酸およびその塩、不飽和脂肪酸およびその塩、飽和ジカルボン酸およびその塩、トリカルボン酸およびその塩、トリルトリアゾールまたはベンゾトリアゾールを溶解させた水溶液である。
【００１４】
本発明の消火液は、さらに、水酸化物を加えて調製することもできる。
【００１５】
本発明の消火液における飽和脂肪酸およびその塩、不飽和脂肪酸およびその塩、飽和ジカルボン酸およびその塩、トリカルボン酸およびその塩、トリルトリアゾールまたはベンゾトリアゾールのそれぞれの含有量は、特に限定されないが、飽和脂肪酸およびその塩１重量％〜３０重量％、好ましくは、５重量％〜１５重量％、不飽和脂肪酸およびその塩０．５重量％〜１５重量％、好ましくは、１重量％〜１５重量％、飽和ジカルボン酸およびその塩０．０５重量％〜５重量％、好ましくは、０．１重量％〜５重量％、トリカルボン酸およびその塩０．５重量％〜１０重量％、好ましくは、１重量％〜１０重量％、およびトリルトリアゾールまたはベンゾトリアゾール０．０５重量％〜２重量％、好ましくは、０．１重量％〜０．５重量％、を含む水溶液であることが好ましい。
【００１６】
本発明の消火液の調製に用いられる飽和脂肪酸は、特に限定されず、当業者に公知のいずれの飽和脂肪酸でもあり得る。好ましくは、カプリル酸、カプロン酸、デカン酸、ドデカン酸、ラウリン酸、ミリスチン酸、パルミチン酸、およびステアリン酸からなる群より選択される少なくとも１つである。
【００１７】
本発明の消火液の調製に用いられる不飽和脂肪酸は特に限定されず、当業者に公知のいずれの不飽和脂肪酸でもあり得る。好ましくは、オレイン酸、バクセン酸、リノール酸、リノレイン酸、アラキドン酸からなる群から選択される少なくとも１つである。
【００１８】
本発明の消火液の調製に用いられる飽和ジカルボン酸は、特に限定されず、当業者に公知のいずれの飽和ジカルボン酸でもあり得る。好ましくは、ドデカン二酸、セバチン酸、セバシン酸からなる群から選択される少なくとも１つである。
【００１９】
本発明の消火液の調製に用いられるトリカルボン酸は特に限定されず、当業者に公知のいずれのトリカルボン酸でもあり得る。好ましくは、クエン酸、イソクエン酸、トリカルバリル酸である。なかでもクエン酸が好ましい。
【００２０】
本発明の消火液の調製に用いられる脂肪酸の塩は、特に限定されず、当業者に公知のいずれの脂肪酸金属塩でもあり得る。特に好ましくは、脂肪酸カリウム、脂肪酸ナトリウムなどである。
【００２１】
飽和脂肪酸およびその塩、不飽和脂肪酸およびその塩、飽和ジカルボン酸およびその塩、トリカルボン酸およびその塩、トリルトリアゾールまたはベンゾトリアゾール、から調製した水溶液は、そのまま、従来の消火液の代替として様々な用途に用いることができるが、さらにｐＨ調整作用を有する水酸化物などの化合物を加えることが好ましい。この場合に用いられる化合物は、特に限定されず、水酸化ナトリウム、水酸化カリウム、水酸化カルシウム、炭酸ナトリウムなど、当業者に公知のいずれの水酸化物でもあり得る。
【００２２】
本発明の消火液は毒性が低い。また、消火弾に収納するなどしても防錆性に優れ、かつ優れた消火効果を発揮する。
【００２３】
本発明の消火液を用いた実施例を示すが、本発明は、以下の実施例に限定されるものではない。本発明はその趣旨を逸脱しない範囲内で、当業者の知識に基づき種々なる改良、修正、変形を加えた態様で実施し得るものである。
次に、本発明に係る消火液の製造方法、およびそれを用いた消火の試験についての実施例を説明する。
【実施例】
【００２４】
本発明の消火液を調製した。蒸留水６５６ｃｃに、市販の水酸化カリウム（旭硝子株式会社製）６０ｇを蒸留水１２０ｃｃで希釈したカリ水１４０ｃｃ、カプリル酸（日本油脂株式会社製）１１０ｇ、市販のオレイン酸５０ｇ、市販のドデカン酸２ｇ、市販のクエン酸５０ｇ、トリルトリアゾール（城北化学工業株式会社製）３ｇ、市販のセバシン酸２ｇ、炭酸ナトリウム１ｇを混合して消火液を調製した。得られた消火液をフライパン中の発火したテンプラ油にスプレー状にかけたところ約５秒で消火することができた。